(57)【要約】【課題】  自動露出制御において、パワーセーブ状態に遷移する際に騒音を発することなくパワーセーブ状態に遷移する制御を可能とすることである。【解決手段】  上記の課題を解決する手段として、音が発生する原因は図４に示すようにパワーセーブモードに切り替わる際に、駆動回路の電源を切ってしまうことに起因する。そのため、パワーセーブモードに切り替わる際に直接電源を切るのではなく、自動露出制御の一部である絞り・ND制御の制御方法を変更し、例えば図５に示す制御例のように、意図的にクローズ制御させた後、駆動回路の電源を切ることで、音が発生するのを防ぐことを特徴とする制御方法である。【選択図】  図１
2007057678.tif 000002
【特許請求の範囲】
【請求項１】
カメラ画を使用しないモード・状態であるか否かを検出する手段と、
その結果に応じてパワーセーブモードに切り替えるかを判断する手段と、
判断結果に応じてパワーセーブモードに切り替える手段と、
絞りおよびＮＤフィルタの現在の位置を検出する手段と絞りおよびＮＤフィルタの位置を制御する手段とを有する撮像装置において、
前記パワーセーブモードに移行する場合に、絞り・ＮＤフィルタの駆動回路の電源を突然切らず徐々に絞りはクローズ側へＮＤフィルタは退避側へ制御を行い、絞り・ＮＤフィルタがメカ端に制御されたと判断された後に、絞り・ＮＤフィルタの駆動回路の電源を切ることを特徴とする撮像装置。
【請求項２】
カメラ画を使用しないモード・状態であるか否かを検出する手段と、
その結果に応じてパワーセーブモードに切り替えるかを判断する手段と、
判断結果に応じてパワーセーブモードに切り替える手段と、
絞りおよびＮＤフィルタの現在の位置を検出する手段と絞りおよびＮＤフィルタの位置を制御する手段とを有する撮像装置において、
前記パワーセーブモードに移行する場合に、絞り・ＮＤフィルタの駆動回路の電源を突然切らず、徐々に絞りはクローズ側へＮＤフィルタは退避側へ制御を行い、絞り・ＮＤフィルタがメカ端に制御された後、又は、パワーセーブ要求が出たときからタイマーによりある一定以上の時間が経過した後のいずれか早い方を検出し、その検出後に絞り・ＮＤフィルタの駆動回路の電源を切ることを特徴とする撮像装置。
【発明の詳細な説明】
【技術分野】
【０００１】
本発明はデジタルカメラ・デジタルビデオカメラなどの撮像装置における自動露出制御である絞り制御およびＮＤフィルタ制御の制御方法に関するものである。
【背景技術】
【０００２】
従来の自動露出制御において、VTRモード・カード再生モードに移行した場合にはカメラの撮影画を必要としないため、カメラ撮影系の電源を切るなど、パワーセーブモードに入れる制御が実施されている。また、カメラ撮影モード時においてレックサーチ、レックレビューなどの現在の撮影画を必要としない状態にある場合において、絞り・ＮＤフィルタのモータ系から電磁波ノイズを発生し、レックサーチ、レックレビュー画に悪影響を与える問題を回避するため、絞り・ＮＤフィルタ等の駆動電源を切る制御が行われている。また、電源ＯＦＦ時の制御に置いては特開2000-66260号公報に示すようにシフトレンズ制御では、現在のレンズ位置を検出し、その結果から制御方法を変更する制御が行われている。
【特許文献１】特開２０００−６６２６０号公報
【発明の開示】
【発明が解決しようとする課題】
【０００３】
従来の自動露出制御において、VTRモードやレックサーチ、レックレビュー、電源OFFなどの現在の撮影画を必要としない状態にある場合において自動露出制御もパワーセーブモードに切り替えるが、従来では直接に絞り・ＮＤフィルタ等のモータ駆動回路の電源をOFFしている。そのため、突然にモータ駆動回路の電源をOFFしてしまうと図４に示すように、絞り（ＮＤフィルタ）が勢い良く閉じ方向に動作し、バネや磁石の力でメカ端に当たり、騒音が発生し品位を損ねるという問題点があった。
【０００４】
本発明は上記欠点を改善し、自動露出制御がパワーセーブ状態に遷移する際に絞りやＮＤフィルタが騒音を発することなくパワーセーブ状態に遷移する制御を可能とすることを目的とする。
【課題を解決するための手段】
【０００５】
上記の課題を解決する手段として、音が発生する原因はパワーセーブモードに切り替わる際に、モータの電源を切ってしまうことに起因する。そのため、パワーセーブモードに切り替わる際に直ちに駆動回路電源を切るのではなく、自動露出制御の絞り・ＮＤフィルタ制御を変更し、例えば図５に示す制御例のように、意図的に絞りをクローズ制御させた後、モータの駆動回路電源を切ることで、音が発生するのを防ぐことを特徴とする制御方法である。
【発明の効果】
【０００６】
この制御手法を用い、絞り制御・ＮＤフィルタ制御を行うことで、パワーセーブモードに入り省エネを実現すると同時に音を発生させ品位を落とすことなくパワーセーブモードに移行する事が可能となる。
【発明を実施するための最良の形態】
【０００７】
以下、本発明の実施の形態を構成図・フローチャートにもとづき説明する。
【実施例１】
【０００８】
図１は本発明を実施する撮像装置を構成する概略構成図である。被写体像からの光信号が撮像光学系１を通じて入光し、入射光量を調節する絞り２およびＮＤフィルタ６により入射光量が調節される。そしてＣＣＤ１０により光電変換され電気信号として二重相関サンプリング回路・ＡＧＣ回路１２により信号レベルが調整された後、Ａ／Ｄ変換１３によりデジタルデータとしてデジタル信号処理回路１４にデータが渡される。そして、映像信号はマイクロコンピュータ１６により指示された内容に基づき、デジタル信号処理回路１４にて信号処理され、記録時には記録媒体１５に記録が実行される。撮像装置ではこのような通常動作が行われているが、マイクロコンピュータ１６ではユーザーからのボタン操作等をボタン操作・モード検出回路１７によって検出し、操作情報を受け取ると、そのモードに変更するように制御を行う。従来の技術では、このボタン操作・モード検出回路１７にてパワーセーブするモードやどのようなボタン操作が行われたかを検出し、マイコンに伝える。そして、マイクロコンピュータ１６ではパワーセーブモードに遷移すべく指令を出すが、特に露出制御においては、絞り機構制御回路４とＮＤフィルタ制御回路８の電力供給を止めることでパワーセーブを実現している。
【０００９】
この際に、ただちに電力供給を止めると絞りはクローズ方向へ・ＮＤフィルタは退避方向に動作し、メカ端に勢い良く当たり音を発してしまうため、本発明では上記パワーセーブモードに遷移する際には、直ちに駆動回路への電力供給を止めるのではなく、マイクロコンピュータ１６により露出制御方法変更回路１８へ指令を出し、絞り・ＮＤフィルタ制御を変更し、図５に示す制御例のように徐々に絞りをクローズさせ、また、未図示であるがＮＤフィルタを徐々に退避させるように制御を行う。ここで図５に制御例を示したが、ここで言う徐々にとは一律の速度での制御に限らず２段階に制御を区切りクローズ動作の開始直後は高速に制御し、クローズ付近では低速で制御する制御方法などを含んでいる（以下、「徐々に」と記す）。そして、その制御が終了したと判断した場合に露出制御方法変更解除回路１９にその旨を伝達し、露出制御方法変更解除回路１９によりマイクロコンピュータ１６を通じて絞り機構制御回路４とＮＤフィルタ制御回路８の電力供給を止めることで騒音を発生することなくパワーセーブモードに遷移することを実現するものである。
【００１０】
次に、この第一の実施例のパワーセーブモード遷移時の制御に関し、図２のフローチャートを用い説明する。図２は制御部の動作の詳細を説明するためのフローチャートである。
【００１１】
先ず、このフローが開始されるとステップＳ１により、マイクロコンピュータ１６からのパワーセーブ要求が出ているかを判断する。ここで、パワーセーブ要求が出ていなく「ＮＯ」の場合は通常動作のままで特別処理をすることなくパワーセーブ要求が出るまで検出処理が繰り返される。ここでパワーセーブ要求が検出され判定が「ＹＥＳ」の場合はステップＳ２に進む。
【００１２】
ステップＳ２では現在の絞り・ＮＤフィルタの位置をセンサー信号により検出し、あらかじめ決められたクローズ位置との差を計算し、ステップＳ３へ進む。
【００１３】
ステップＳ３ではステップＳ２により計算された差データからクローズまでどの速度で制御するかを算出し、ステップＳ４へ進む。
【００１４】
ステップＳ４ではステップＳ３で計算されたデータをもとに絞りをクローズ方向へ・ＮＤフィルタを退避方向に制御を行い、ステップＳ５に進む。
【００１５】
ステップＳ５では絞りが完全にクローズしたかどうか、およびＮＤフィルタが完全に退避したかどうかを検出し判断を行う。ここで「ＮＯ」と判断された場合にはステップＳ２に戻り、フィードバックが行われる。また、「ＹＥＳ」と判断された場合にはマイクロコンピュータ１６にパワーセーブＯＫの旨を伝達し、マイクロコンピュータ１６を通じて絞り機構制御回路４とＮＤフィルタ制御回路８の電力供給を停止を行う。
【００１６】
このように、パワーセーブ要求を受け取った後、徐々に絞りをクローズし、ＮＤフィルタを退避する制御を行い、駆動回路への電力供給を止めパワーセーブを行うことで、騒音を発生することなくパワーセーブを実現することが可能となる。
【実施例２】
【００１７】
図１は本発明を実施する撮像装置を構成する概略構成図である。本図は実施例１と同じ構成であり、タイマカウンタ２０を用いることが実施例１と異なる点である。撮像装置の動作に関しては実施例１と同様のため省略する。
【００１８】
ここで実施例１と同様に、従来技術では通常動作状態においてボタン操作・モード検出回路１７にてパワーセーブするモードやボタン操作が行われたかを検出し、マイコンに伝える。そして、マイクロコンピュータ１６ではパワーセーブモードに遷移すべく指令を出すが、特に露出制御においては、絞り機構制御回路４とＮＤフィルタ制御回路８の電力供給を止めることでパワーセーブを実現している。
【００１９】
この際に、ただちに駆動回路への電力供給を止めると絞りがクローズ方向・ＮＤフィルタが退避方向に動作し、メカ端に勢い良く当たり騒音を発してしまう。そのため、本発明では上記パワーセーブモードに遷移する際には直ちに駆動回路への電力供給を止めるのではなく、実施例１と同様に露出制御方法変更回路１８にて絞り・ＮＤフィルタ制御を変更し、徐々に絞りをクローズさせ、ＮＤを退避させるように制御を行い、その制御が終了したと判断した場合に露出制御方法変更解除回路１９にその旨を伝達し、露出制御方法変更解除回路１９によりマイクロコンピュータ１６を通じて絞り機構制御回路４とＮＤフィルタ制御回路８の電力供給を止める制御を行う。しかしながらこの制御を忠実に行っている場合において、ステップＳ２からステップＳ５までの制御中において割り込み処理や処理エラーなどが生じた場合には非常に長い時間がかかってしまうことや処理から抜け出せないことが発生する可能性がある。そのため、実施例２では実施例１のフローを持つと同時に、パワーセーブ要求を受けるとタイマカウンタによりカウントを開始し、ある一定時間カウントされた場合には前記フローの絞りクローズ・ＮＤフィルタ退避、が完了していない場合でも強制的にパワーセーブＯＮ命令を出し、その旨をマイクロコンピュータ１６を通じて絞り機構制御回路４とＮＤフィルタ制御回路８への電力供給を止め、パワーセーブモードに遷移するものである。
【００２０】
次に、この第二の実施例のパワーセーブモード遷移時の制御に関し、図３のフローチャートを用い制御フローを説明する。図３は本発明に係る撮像装置の第二の実施例の制御フローチャートである。ステップＳ１からステップＳ６までは実施例１と同様の制御フローが行われるため、同じ符号を用い、詳細な説明は省略する。
【００２１】
まず、この図３において第二の実施例ではステップＳ１のパワーセーブ要求の条件判断がＹＥＳと判断されると、実施例１と同じフローによりステップＳ２へ進むと同時にステップＳ７へ進む。
【００２２】
ステップＳ７ではタイマカウンタなどのカウント機能を起動・開始し、ステップＳ８へ進む。ステップＳ８ではカウンタによりカウントアップを行いステップ９へ進む。ステップ９ではあるカウント値以上の時間経過が成されたかどうかを判断する。一定時間が経過しておらず「ＮＯ」と条件判断された場合にはステップＳ８に戻り、更にカウントアップを行う。また、一定時間が経過し条件判断が「ＹＥＳ」と判断された場合においてはステップＳ５の動作完了判断の如何によらずステップＳ６へと進む。そしてステップＳ６にてマイクロコンピュータ１６にパワーセーブＯＫの旨を伝達し、マイクロコンピュータ１６を通じて絞り機構制御回路４とＮＤフィルタ制御回路８の電力供給停止を実行する。そして電力供給の停止が終わると本発明の制御は完了となる。このように、パワーセーブ要求を受け取った後、ある一定時間の経過を観察し一定時間が経過した場合に強制的に、電力供給を止めパワーセーブを行うことで、実施例１の動作エラーや割込処理等によるモード遷移時間の長期化やモード遷移出来ない状態を防ぎ、パワーセーブモードへの遷移を潤滑に実現することが可能となる。
【図面の簡単な説明】
【００２３】
【図１】本発明に係る撮像装置の第一・第二の実施例の構成を示すブロック図。
【図２】本発明の第一の実施例の制御動作フローを示すフローチャート。
【図３】本発明の第二の実施例の制御動作フローを示すフローチャート。
【図４】本発明の課題となる問題発生の動作を示した図。
【図５】本発明の課題を解決する動作例を示した図。
【符号の説明】
【００２４】
１  レンズ（レンズ群）
２  絞り機構
３  絞り駆動モータ
４  絞り駆動回路
５  絞り位置検出センサー
６  ＮＤフィルタ
７  ＮＤフィルタ駆動モータ
８  ＮＤフィルタ駆動回路
９  ＮＤ位置検出センサー
１０  ＣＣＤ
１１  ＣＣＤ駆動回路
１２  ＣＤＳ／ＡＧＣ
１３  Ａ／Ｄ
１４  デジタル信号処理回路
１５  記録媒体
１６  マイクロコンピュータ
１７  ボタン操作・モード検出回路
１８  露出制御方法変更回路
１９  露出制御方法変更解除回路
２０  タイマカウンタ
【図１】
2007057678.tif 000003
【図２】
2007057678.tif 000004
【図３】
2007057678.tif 000005
【図４】
2007057678.tif 000006
【図５】
2007057678.tif 000007